(57)【要約】【課題】本発明は、複数月が昇順又は降順に表示され、過ぎた月の暦を切り取らずに分離しない一塊として管理できる複数月カレンダーに関する。【解決手段】１０枚のシート体を折り畳むことにより一度に複数月の暦を昇順又は降順に表示する複数月カレンダー１であって、１０枚のシート体の表面には、第２頁に前年１２月の暦、第３頁に今年１月の暦、第４頁に今年２月の暦、第５頁に今年３月の暦、第６頁に今年４月の暦、第７頁に今年５月の暦、第８頁に今年６月の暦、第９頁に今年７月の暦、第１０頁に今年８月の暦を表示させ、かつ１０枚のシート体の裏面には、今年８月裏面となる第１１頁に来年１月の暦、今年２月の裏面となる第１７頁に今年９月の暦、今年１月の裏面となる第１８頁に今年１０月の暦、前年１２月の裏面となる第１９頁に今年１１月の暦、表紙の裏面となる第２０頁に今年１２月の暦を表示させる。【選択図】図１
2016124169.tif 000002
【特許請求の範囲】
【請求項１】
１ヶ月分の暦の表示を含むシート体を折り畳み自在に１０枚連接し、この１０枚のシート体を折り畳むことにより一度に複数月の暦を昇順もしくは降順に表示する複数月カレンダーであって、
前記１０枚のシート体の一方面には、第２頁に前年１２月の暦、第３頁に今年１月の暦、第４頁に今年２月の暦、第５頁に今年３月の暦、第６頁に今年４月の暦、第７頁に今年５月の暦、第８頁に今年６月の暦、第９頁に今年７月の暦、第１０頁に今年８月の暦を表示させ、かつ前記１０枚のシート体の他方面には、前記今年８月裏面となる第１１頁に来年１月の暦、前記今年２月の裏面となる第１７頁に今年９月の暦、前記今年１月の裏面となる第１８頁に今年１０月の暦、前記前年１２月の裏面となる第１９頁に今年１１月の暦、前記表紙の裏面となる第２０頁に今年１２月の暦を表示させるとともに、
前記第２頁、第３頁、第４頁の連続する３枚のシート体を表面とし残りの７枚のシート体を裏面側に折り重ねることにより、前年１２月と今年１月と今年２月の３ヶ月暦を表示し、
前記第３頁、第４頁、第５頁の連続する３枚のシート体を表面とし残りの７枚のシート体を裏面側に折り重ねることにより、今年１月と今年２月と今年３月の３ヶ月暦を表示し、
前記第４頁、第５頁、第６頁の連続する３枚のシート体を表面とし残りの７枚のシート体を裏面側に折り重ねることにより、今年２月と今年３月と今年４月の３ヶ月暦を表示し、
前記第５頁、第６頁、第７頁の連続する３枚のシート体を表面とし残りの７枚のシート体を裏面側に折り重ねることにより、今年３月と今年４月と今年５月の３ヶ月暦を表示し、
前記第６頁、第７頁、第８頁の連続する３枚のシート体を表面とし残りの７枚のシート体を裏面側に折り重ねることにより、今年４月と今年５月と今年６月の３ヶ月暦を表示し、
前記第７頁、第８頁、第９頁の連続する３枚のシート体を表面とし残りの７枚のシート体を裏面側に折り重ねることにより、今年５月と今年６月と今年７月の３ヶ月暦を表示し、
前記第８頁、第９頁、第１０頁の連続する３枚のシート体を表面とし残りの７枚のシート体を裏面側に折り重ねることにより、今年６月と今年７月と今年８月の３ヶ月暦を表示し、
前記第９頁、第１０頁の連続する２枚のシート体を表面とし残りの８枚のシート体を裏面側に折り重ねつつ第１７頁が前記第１０頁のシート体の下に繋がって表示されるように折り重ねることにより、今年７月と今年８月と今年９月の３ヶ月暦を表示し、
前記第１０頁のシート体を表面とし残りの９枚のシート体を裏面側に折り重ねつつ前記第１７頁と第１８頁の連続するシート体が前記第１０頁のシート体の下に繋がって表示されるように折り重ねることにより、今年８月と今年９月と今年１０月の３ヶ月暦を表示し、
前記第１７頁、第１８頁、第１９頁の連続する３枚のシート体を表面とし残りの７枚のシート体を裏面側に折り重ねることにより、今年９月と今年１０月と今年１１月の３ヶ月暦を表示し、
前記第１８頁、第１９頁、第２０頁の連続する３枚のシート体を表面とし残りの７枚のシート体を裏面側に折り重ねることにより、今年１０月と今年１１月と今年１２月の３ヶ月暦を表示し、
前記第１９頁、第２０頁の連続する２枚のシート体を表面とし残りの８枚のシート体を裏面側に折り重ねつつ第１１頁が前記第２０頁のシート体の下に繋がって表示されるように折り重ねることにより、今年１１月と今年１２月と来年１月の３ヶ月暦を表示することを特徴とする複数月カレンダー。
【請求項２】
請求項１記載のシート体を折り畳み自在に１０枚連接した複数月カレンダーであって、
前記第２頁、第３頁、第４頁、第５頁の連続する４枚のシート体を表面とし残りの６枚のシート体を裏面側に折り重ねることにより、前年１２月と今年１月と今年２月と今年３月の４ヶ月暦を表示し、
前記第３頁、第４頁、第５頁、第６頁の連続する４枚のシート体を表面とし残りの６枚のシート体を裏面側に折り重ねることにより、今年１月と今年２月と今年３月と今年４月の４ヶ月暦を表示し、
前記第２頁、第３頁、第４頁、第５頁の連続する４枚のシート体を表面とし残りの６枚のシート体を裏面側に折り重ねることにより、前年１２月と今年１月と今年２月と今年３月の４ヶ月暦を表示し、
前記第３頁、第４頁、第５頁、第６頁の連続する４枚のシート体を表面とし残りの６枚のシート体を裏面側に折り重ねることにより、今年１月と今年２月と今年３月と今年４月の４ヶ月暦を表示し、
前記第４頁、第５頁、第６頁、第７頁の連続する４枚のシート体を表面とし残りの６枚のシート体を裏面側に折り重ねることにより、今年２月と今年３月と今年４月と今年５月の４ヶ月暦を表示し、
前記第５頁、第６頁、第７頁、第８頁の連続する４枚のシート体を表面とし残りの６枚のシート体を裏面側に折り重ねることにより、今年３月と今年４月と今年５月と今年６月の４ヶ月暦を表示し、
前記第６頁、第７頁、第８頁、第９頁の連続する４枚のシート体を表面とし残りの６枚のシート体を裏面側に折り重ねることにより、今年４月と今年５月と今年６月と今年７月の４ヶ月暦を表示し、
前記第７頁、第８頁、第９頁、第１０頁の連続する４枚のシート体を表面とし残りの６枚のシート体を裏面側に折り重ねることにより、今年５月と今年６月と今年７月と今年８月の４ヶ月暦を表示し、
前記第８頁、第９頁、第１０頁の連続する３枚のシート体を表面とし残りの７枚のシート体を裏面側に折り重ねつつ前記第１７頁が前記第１０頁のシート体の下に繋がって表示されるように折り重ねることにより、今年６月と今年７月と今年８月と今年９月の４ヶ月暦を表示し、
前記第９頁、第１０頁の連続する２枚のシート体を表面とし残りの８枚のシート体を裏面側に折り重ねつつ前記第１７頁と第１８頁の連続するシート体が前記第１０頁のシート体の下に繋がって表示されるように折り重ねることにより、今年７月と今年８月と今年９月と今年１０月の４ヶ月暦を表示し、
前記第１０頁のシート体を表面とし残りの９枚のシート体を裏面側に折り重ねつつ前記第１７頁と第１８頁と第１９頁の連続するシート体が前記第１０頁のシート体の下に繋がって表示されるように折り重ねることにより、今年８月と今年９月と今年１０月と今年１１月の４ヶ月暦を表示し、
前記第１７頁、第１８頁、第１９頁、第２０頁の連続する４枚のシート体を表面とし残りの６枚のシート体を裏面側に折り重ねることにより、今年９月と今年１０月と今年１１月と今年１２月の４ヶ月暦を表示し、
前記第１８頁、第１９頁、第２０頁の連続する３枚のシート体を表面とし残りの７枚のシート体を裏面側に折り重ねつつ前記第１１頁が第２０頁のシート体の下に繋がって表示されるように折り重ねることにより、今年１０月と今年１１月と今年１２月と来年１月の４ヶ月暦を表示することを特徴とする複数月カレンダー。
【請求項３】
請求項１記載のシート体を折り畳み自在に１０枚連接した複数月カレンダーであって、
第２頁、第３頁の連続する２枚のシート体を表面とし残りの８枚のシート体を裏面側に折り重ねることにより、前年１２月と今年１月の２ヶ月暦を表示し、
第３頁、第４頁の連続する２枚のシート体を表面とし残りの８枚のシート体を裏面側に折り重ねることにより、今年１月と今年２月の２ヶ月暦を表示し、
第４頁、第５頁の連続する２枚のシート体を表面とし残りの８枚のシート体を裏面側に折り重ねることにより、今年２月と今年３月の２ヶ月暦を表示し、
第５頁、第６頁の連続する２枚のシート体を表面とし残りの８枚のシート体を裏面側に折り重ねることにより、今年３月と今年４月の２ヶ月暦を表示し、
第６頁、第７頁の連続する２枚のシート体を表面とし残りの８枚のシート体を裏面側に折り重ねることにより、今年４月と今年５月の２ヶ月暦を表示し、
第７頁、第８頁の連続する２枚のシート体を表面とし残りの８枚のシート体を裏面側に折り重ねることにより、今年５月と今年６月の２ヶ月暦を表示し、
第８頁、第９頁の連続する２枚のシート体を表面とし残りの８枚のシート体を裏面側に折り重ねることにより、今年６月と今年７月の２ヶ月暦を表示し、
第９頁、第１０頁の連続する２枚のシート体を表面とし残りの８枚のシート体を裏面側に折り重ねることにより、今年７月と今年８月の２ヶ月暦を表示し、
第１０頁のシート体を表面とし残りの９枚のシート体を裏面側に折り重ねつつ第１７頁のシート体が前記第１０頁のシート体の下に繋がって表示されるように折り重ねることにより、今年８月と今年９月の２ヶ月暦を表示し、
第１７頁、第１８頁の連続する２枚のシート体を表面とし残りの８枚のシート体を裏面側に折り重ねることにより、今年９月と今年１０月の２ヶ月暦を表示し、
第１８頁、第１９頁の連続する２枚のシート体を表面とし残りの８枚のシート体を裏面側に折り重ねることにより、今年１０月と今年１１月の２ヶ月暦を表示し、
第１９頁、第２０頁の連続する２枚のシート体を表面とし残りの８枚のシート体を裏面側に折り重ねることにより、今年１１月と今年１２月の２ヶ月暦を表示し、
第２０頁、第２０頁のシート体を表面とし残りの９枚のシート体を裏面側に折り重ねつつ、第１０頁のシート体が前記第２０頁のシート体の下に繋がって表示されるように折り重ねることにより、今年１２月と来年１月の２ヶ月暦を表示することを特徴とする複数月カレンダー。
【請求項４】
１ヶ月分の暦の表示を含むシート体を折り畳み自在に１６枚連接し、この１６枚のシートを折り畳むことにより一方面から見て一度に複数月の暦を昇順もしくは降順に表示する複数月カレンダーであって、
前記１６枚のシート体の一方面には、第２頁に前年１２月の暦、第３頁に１月の暦、第４頁に２月の暦、第５頁に３月の暦、第８頁に４月の暦、第９頁に５月の暦、第１２頁に６月の暦、第１３頁に７月の暦、そして最下段の第１６頁に８月の暦を表示させ、かつ前記１６枚のシート体の他方面には、前記第１頁の裏面の第３２頁に１２月の暦、第２９頁に１１月の暦、第２８頁に１０月の暦、第２５頁に９月の暦、最後の第１９頁に来年１月の暦を表示させるとともに、
第２頁、第３頁、第４頁の連続する３枚のシート体を表面とし残りの１３枚のシート体を裏面側に折り重ねつつ、第７頁が前記第４頁のシート体の下に繋がって表示されるように折り重ねることにより、前年１２月と今年１月と今年２月の３ヶ月暦と自由表示域であるフリースペースの４面を表示し、
第３頁、第４頁、第５頁、第６頁の連続する４枚のシート体を表面とし残りの１２枚のシート体を裏面側に折り重ねることにより、今年１月と今年２月と今年３月の３ヶ月暦とフリースペースの４面を表示し、第４頁、第５頁の連続する２枚のシート体を表面とし残りの１４枚のシート体を裏面側に折り重ねつつ、第８頁が前記第５頁のシート体の下に繋がって表示されるように折り重ね、かつ第１１頁が前記第８頁のシート体の下に繋がって表示されることにより、今年２月と今年３月と今年４月の３ヶ月暦とフリースペースの４面を表示し、第５頁のシート体の下の手前側に第８頁、第９頁、第１０頁の連続する３枚のシート体を繋がるように折り重ね、残りの１２枚のシート体を裏面側に折り重ねることにより、今年３月と今年４月と今年５月の３ヶ月暦とフリースペースの４面を表示し、第８頁、第９頁の連続する２枚のシート体を表面とし残りの１４枚のシート体を裏面側に折り重ねつつ、第１２頁が前記第９頁のシート体の下に繋がり、さらに第１５頁が前記第１２頁のシート体の下に繋がって表示されることにより、今年４月と今年５月と今年６月の３ヶ月暦とフリースペースの４面を表示し、第９頁のシート体の下の手前側に第１２頁、第１３頁、第１４頁の３枚のシート体を繋がるように折り重ね、残りの１２枚のシート体を裏面側に折り重ねることにより、今年５月と今年６月と今年７月の３ヶ月暦とフリースペースの４面を表示し、第１２頁、第１３頁の連続する２枚のシート体を表面とし残りの１４枚のシート体を裏面側に折り重ねつつ、第１６頁が前記第１３頁のシート体の下に繋がり、さらに第２７頁が前記第１６頁のシート体の下に繋がって表示されるように折り重ねることにより、今年６月と今年７月と今年８月の３ヶ月暦とフリースペースの４面を表示し、第１３頁のシート体の下の手前側に第１６頁のシート体を繋がるように折り重ね、残りの１２枚のシート体を裏面側に折り重ねつつ、第２５頁、第２６頁の連続する２枚のシート体が前記第１６頁のシート体の下に繋がって表示されるように折り重ねることにより、今年７月と今年８月と今年９月の３ヶ月暦とフリースペースの４面を表示し、第１６頁のシート体の下の手前側に第２５頁のシート体を繋がり、さらに第２８頁が前記第２５頁のシート体の下に繋がり、さらに第３１頁が前記第２８頁のシート体の下に繋がって表示されるように折り重ねることにより、今年８月と今年９月と今年１０月の３ヶ月暦とフリースペースの４面を表示し、第２５頁のシート体の下の手前側に第２５頁のシート体を繋がり、さらに第２８頁、第２９頁、第３０頁の連続する３枚のシート体が前記第２５頁のシート体の下に繋がって表示されるように折り重ねることにより、今年９月と今年１０月と今年１１月の３ヶ月暦とフリースペースの４面を表示し、第２８頁、第２９頁の連続する２枚のシート体を表面とし残りの１４枚のシート体を裏面側に折り重ねつつ、第３２頁が前記第２９頁のシート体の下に繋がり、さらに第１７頁が前記第３２頁のシート体の下に繋がって表示されることにより、今年１０月と今年１１月と今年１２月の３ヶ月暦とフリースペースの４面を表示し、第２９頁のシート体の下に第３２頁が繋がり、さらに第１９頁が前記第３２頁のシート体の下に繋がり、さらに第２０頁が前記第１９頁のシート体の下に繋がって表示されることにより、今年１１月と今年１２月と来年１月の３ヶ月暦とフリースペースの４面を表示することを特徴とする請求項１乃至３のいずれかに記載の複数月カレンダー。
【請求項５】
請求項４記載のシート体を折り畳み自在に１６枚連接した複数月カレンダーであって、
第２頁、第３頁、第４頁、第５頁の連続する４枚のシート体を表面とし残りの１２枚のシート体を裏面側に折り重ねることにより、前年１２月と今年１月と今年２月と今年３月の４ヶ月暦を表示し、
第３頁、第４頁、第５頁の連続する３枚のシート体を表面とし残りの１３枚のシート体を裏面側に折り重ねつつ、第８頁のシート体が前記第５頁のシート体の下に繋がって表示されるように折り重ねることにより、今年１月と今年２月と今年３月と今年４月の４ヶ月暦を表示し、
第４頁、第５頁の連続する２枚のシート体を表面とし残りの１４枚のシート体を折り重ねつつ、第８頁、第９頁のシート体が前記第５頁のシート体の下に繋がって表示されるように折り重ねることにより、今年２月と今年３月と今年４月と今年５月の４ヶ月暦を表示し、
第５頁のシート体を表面とし残りの１５枚のシート体を折り重ねつつ、第８頁、第９頁のシート体が前記第５頁のシート体の下に繋がって表示されるように折り重ね、かつ第１２頁が前記第９頁のシート体の下に繋がって表示されるように折り重ねることにより、今年３月と今年４月と今年５月と今年６月の４ヶ月暦を表示し、
第８頁、第９頁の連続する２枚のシート体を表面とし残りの１４枚のシート体を裏面側に折り重ねつつ、第１２頁、第１３頁の連続する２枚のシート体が前記第９頁のシート体の下に繋がって表示されるように折り重ねることにより、今年４月と今年５月と今年６月と今年７月の４ヶ月暦を表示し、
第５頁のシート体を表面とし残りの１５枚のシート体を折り重ねつつ、第１２頁、第１３頁の連続する２枚のシート体が前記第９頁のシート体の下に繋がって表示されるように折り重ねつつ、第１６頁のシート体が前記第１３頁のシート体の下に繋がって表示されるように折り重ねることにより、今年５月と今年６月と今年７月と今年８月の４ヶ月暦を表示し、
第１２頁、第１３頁の連続する２枚のシート体を表面とし残りの１４枚のシート体を折り重ねつつ第１６頁が前記第１３頁のシート体の下に繋がって表示されるように折り重ねつつ、第２５頁のシート体が前記第１６頁のシート体の下に繋がって表示されるように折り重ねることにより、今年６月と今年７月と今年８月と今年９月の４ヶ月暦を表示し、
第１３頁のシート体を表面とし残りの１５枚のシート体を折り重ねつつ、第１６頁のシート体が前記第１３頁のシート体の下に繋がって表示されるように折り重ね、かつ第２５頁のシート体が前記第１６頁のシート体の下に繋がって表示されるように折り重ね、かつ第２８頁のシート体が前記第２５頁のシート体の下に繋がって表示されるように折り重ねることにより、今年７月と今年８月と今年９月と今年１０月の４ヶ月暦を表示し、
第１６頁のシート体を表面とし残りの１５枚のシート体を折り重ねつつ第２５頁のシート体が前記第１６頁のシート体の下に繋がって表示されるように折り重ねつつ、第２８頁、第２９頁の連続する２枚のシート体が前記第２５頁のシート体の下に繋がって表示されるように折り重ねることにより、今年８月と今年９月と今年１０月と今年１１月の４ヶ月暦を表示し、
第２５頁のシート体を表面とし残りの１５枚のシート体を折り重ねつつ、第２８頁、第２９頁の連続する２枚のシート体が前記第２５頁のシート体の下に繋がって表示されるように折り重ね、かつ第３２頁のシート体が前記第２９頁のシート体の下に繋がって表示されるように折り重ねることにより、今年９月と今年１０月と今年１１月と今年１２月の４ヶ月暦を表示し、
第２８頁、第２９頁の連続する２枚のシート体を表面とし残りの１４枚のシート体を折り重ねつつ、第３２頁が前記第２９頁のシート体の下に繋がって表示されるように折り重ね、かつ第１９頁が前記第３２頁のシート体の下に繋がって表示されるように折り重ねることにより、今年１０月と今年１１月と今年１２月と来年１月の４ヶ月暦を表示し、
第１１頁のシート体を表面とし残りの１５枚のシート体を折り重ねつつ、第３２頁が前記第１１頁のシート体の下に繋がって表示されるように折り重ね、かつ第１９頁が前記第３２頁のシート体の下に繋がって表示されるように折り重ねることにより、今年１１月と今年１２月と来年１月の３ヶ月暦を表示することを特徴とする複数月カレンダー。
【請求項６】
請求項４記載のシート体を折り畳み自在に１６枚連接した複数月カレンダーであって、
第２頁、第３頁、第４頁の連続する３枚のシート体を表面とし残りの１３枚のシート体を裏面側に折り重ねることにより、前年１２月と今年１月と今年２月の３ヶ月暦を表示し、
第３頁、第４頁、第５頁の連続する３枚のシート体を表面とし残りの１３枚のシート体を裏面側に折り重ねることにより、今年１月と今年２月と今年３月の３ヶ月暦を表示し、
第４頁、第５頁の連続する２枚のシート体を表面とし残りの１４枚のシート体を裏面側に折り重ねつつ、第８頁が前記第５頁のシート体の下に繋がって表示されるように折り重ねることにより、今年２月と今年３月と今年４月の３ヶ月暦を表示し、
第５頁のシート体を表面とし残りの１５枚のシート体を折り重ねつつ、第８頁、第９頁の２枚のシート体が前記第５頁のシート体の下に繋がって表示されるように折り重ねることにより、今年３月と今年４月と今年５月の３ヶ月暦を表示し、
第８頁のシート体を表面とし残りの１４枚のシート体を裏面側に折り重ねつつ、第１２頁のシート体が前記第９頁のシート体の下に繋がって表示されるように折り重ねることにより、今年４月と今年５月と今年６月の３ヶ月暦を表示し、
第９頁のシート体を表面とし残りの１５枚のシート体を折り重ねつつ、第１２頁、第１３頁の連続する２枚のシート体が前記第９頁のシート体の下に繋がって表示されるように折り重ねることにより、今年５月と今年６月と今年７月の３ヶ月暦を表示し、
第１２頁、第１３頁の連続する２枚のシート体を表面とし残りの１４枚のシート体を折り重ねつつ、第１６頁のシート体が前記第１３頁のシート体の下に繋がって表示されるように折り重ねることにより、今年６月と今年７月と今年８月の３ヶ月暦を表示し、
第１３頁のシート体を表面とし残りの１５枚のシート体を折り重ねつつ、第１６頁のシート体が前記第１３頁のシート体の下に繋がって表示されるように折り重ね、かつ第２５頁のシート体が前記第１６頁のシート体の下に繋がって表示されるように折り重ねることにより、今年７月と今年８月と今年９月の３ヶ月暦を表示し、
第１６頁のシート体を表面とし残りの１５枚のシート体を裏面側に折り重ねつつ、第２５頁のシート体が前記第１６頁のシート体の下に繋がって表示されるように折り重ね、かつ第２８頁のシート体が前記第２５頁のシート体の下に繋がって表示されるように折り重ねることにより、今年８月と今年９月と今年１０月の３ヶ月暦を表示し、
第２５頁のシート体を表面とし残りの１５枚のシート体を折り重ねつつ、第２８頁、第２９頁の連続する２枚のシート体が前記第２５頁のシート体の下に繋がって表示されるように折り重ねることにより、今年９月と今年１０月と今年１１月の３ヶ月暦を表示し、
第２８頁、第２９頁の連続する２枚のシート体を表面とし残りの１４枚のシート体を折り重ねつつ、第３２頁のシート体が前記第２９頁のシート体の下に繋がって表示されるように折り重ねることにより、今年１０月と今年１１月と今年１２月の３ヶ月暦を表示し、
第２９頁のシート体を表面とし残りの１５枚のシート体を折り重ねつつ、第３２頁のシート体が前記第２９頁のシート体の下に繋がって表示されるように折り重ね、かつ第１９頁のシート体が前記第３２頁のシート体のシート体の下に繋がって表示されるように折り重ねることにより、今年１１月と今年１２月と来年１月の３ヶ月暦を表示することを特徴とする複数月カレンダー。
【発明の詳細な説明】
【技術分野】
【０００１】
本発明は、複数月の暦を一定程度の大きさで掲示するカレンダーに係り、特に１枚のシートを適宜に折り畳むことにより、複数月の暦を昇順に並べて表示することができ、さらに複数月の暦の一端に広告などを記載できる自由表示域であるフリースペースや、折り畳む使用方法の表示域を追加することも可能な複数月カレンダーに関する。
【背景技術】
【０００２】
従来、一度に複数月の暦をある程度の大きさ、すなわち日にちごとにメモ書きで表示する壁掛けカレンダーとしては、これまでにいろいろなものが市販されている。
例えば、先月、今月、来月の３ヶ月の暦を表示するカレンダーが存在する（特許文献１参照）。このカレンダーは、連続した３ヶ月の暦を常に表示することができることから、先の予定を備忘的に書き込んだり、過去のメモを参照したりするのに好適である。
【０００３】
また、先月、今月、来月の暦を並列して掲示する場所に、それぞれ１２ヶ月分の暦を備えて、一月が経過する度に１枚ずつ暦を捲り取るカレンダーも存在している（特許文献２参照）。
【先行技術文献】
【特許文献】
【０００４】
【特許文献１】実用新案登録第３１７７５７７号公報
【特許文献２】実開平６−５５７５４号公報
【発明の概要】
【発明が解決しようとする課題】
【０００５】
しかしながら、上述した従来の複数月カレンダーにあっては、先月、今月、来月という昇順の見やすい配置が、来月、先月、今月の順にずれてしまって感覚的に見づらくなることがあり、また過ぎた月の暦は切り取ってしまうことから、暦に記入した残しておきたいメモなどが残らないという問題があった。また、１年間のメモを記録したカレンダーが１冊、１枚などの分離されないコンパクトな一塊として管理することができる形態のカレンダーが求められている。
【０００６】
そこで本発明は、上述した課題を解決すべく、複数月の配置が昇順もしくは降順になる複数月カレンダーであって、過ぎた月の暦を切り取ることなく、分離されないコンパクトな一塊として管理することができる複数月カレンダーを提供することを目的とする。
【課題を解決するための手段】
【０００７】
本発明は、上記目的を達成するために、各月の暦を好適な位置に配置して印刷した１枚の長尺なシート体を折りたたむことにより、過ぎた月の暦を切り取ることなく、かつ複数月の配置が昇順になる複数月カレンダーを案出した。
本発明の複数月カレンダーは、１ヶ月分の暦の表示を含むシート体を折り畳み自在に１０枚連接し、この１０枚のシート体を折り畳むことにより一度に複数月の暦を昇順もしくは降順に表示する複数月カレンダーであって、前記１０枚のシート体の一方面には、第２頁に前年１２月の暦、第３頁に今年１月の暦、第４頁に今年２月の暦、第５頁に今年３月の暦、第６頁に今年４月の暦、第７頁に今年５月の暦、第８頁に今年６月の暦、第９頁に今年７月の暦、第１０頁に今年８月の暦を表示させ、かつ前記１０枚のシート体の他方面には、前記今年８月裏面となる第１１頁に来年１月の暦、前記今年２月の裏面となる第１７頁に今年９月の暦、前記今年１月の裏面となる第１８頁に今年１０月の暦、前記前年１２月の裏面となる第１９頁に今年１１月の暦、前記表紙の裏面となる第２０頁に今年１２月の暦を表示させるとともに、前記第２頁、第３頁、第４頁の連続する３枚のシート体を表面とし残りの７枚のシート体を裏面側に折り重ねることにより、前年１２月と今年１月と今年２月の３ヶ月暦を表示し、前記第３頁、第４頁、第５頁の連続する３枚のシート体を表面とし残りの７枚のシート体を裏面側に折り重ねることにより、今年１月と今年２月と今年３月の３ヶ月暦を表示し、前記第４頁、第５頁、第６頁の連続する３枚のシート体を表面とし残りの７枚のシート体を裏面側に折り重ねることにより、今年２月と今年３月と今年４月の３ヶ月暦を表示し、前記第５頁、第６頁、第７頁の連続する３枚のシート体を表面とし残りの７枚のシート体を裏面側に折り重ねることにより、今年３月と今年４月と今年５月の３ヶ月暦を表示し、前記第６頁、第７頁、第８頁の連続する３枚のシート体を表面とし残りの７枚のシート体を裏面側に折り重ねることにより、今年４月と今年５月と今年６月の３ヶ月暦を表示し、前記第７頁、第８頁、第９頁の連続する３枚のシート体を表面とし残りの７枚のシート体を裏面側に折り重ねることにより、今年５月と今年６月と今年７月の３ヶ月暦を表示し、前記第８頁、第９頁、第１０頁の連続する３枚のシート体を表面とし残りの７枚のシート体を裏面側に折り重ねることにより、今年６月と今年７月と今年８月の３ヶ月暦を表示し、前記第９頁、第１０頁の連続する２枚のシート体を表面とし残りの８枚のシート体を裏面側に折り重ねつつ第１７頁が前記第１０頁のシート体の下に繋がって表示されるように折り重ねることにより、今年７月と今年８月と今年９月の３ヶ月暦を表示し、前記第１０頁のシート体を表面とし残りの９枚のシート体を裏面側に折り重ねつつ前記第１７頁と第１８頁の連続するシート体が前記第１０頁のシート体の下に繋がって表示されるように折り重ねることにより、今年８月と今年９月と今年１０月の３ヶ月暦を表示し、前記第１７頁、第１８頁、第１９頁の連続する３枚のシート体を表面とし残りの７枚のシート体を裏面側に折り重ねることにより、今年９月と今年１０月と今年１１月の３ヶ月暦を表示し、前記第１８頁、第１９頁、第２０頁の連続する３枚のシート体を表面とし残りの７枚のシート体を裏面側に折り重ねることにより、今年１０月と今年１１月と今年１２月の３ヶ月暦を表示し、前記第１９頁、第２０頁の連続する２枚のシート体を表面とし残りの８枚のシート体を裏面側に折り重ねつつ第１１頁が前記第２０頁のシート体の下に繋がって表示されるように折り重ねることにより、今年１１月と今年１２月と来年１月の３ヶ月暦を表示することを特徴とする。
これにより、先月、今月、来月などの３ヶ月暦を、過ぎた月の暦を切り取ることなく１年分表示し、かつ一枚のシートして保存することができるカレンダーが得られる。
【０００８】
また本発明の複数月カレンダーは、請求項１記載のシート体を折り畳み自在に１０枚連接した複数月カレンダーであって、前記第２頁、第３頁、第４頁、第５頁の連続する４枚のシート体を表面とし残りの６枚のシート体を裏面側に折り重ねることにより、前年１２月と今年１月と今年２月と今年３月の４ヶ月暦を表示し、前記第３頁、第４頁、第５頁、第６頁の連続する４枚のシート体を表面とし残りの６枚のシート体を裏面側に折り重ねることにより、今年１月と今年２月と今年３月と今年４月の４ヶ月暦を表示し、前記第２頁、第３頁、第４頁、第５頁の連続する４枚のシート体を表面とし残りの６枚のシート体を裏面側に折り重ねることにより、前年１２月と今年１月と今年２月と今年３月の４ヶ月暦を表示し、前記第３頁、第４頁、第５頁、第６頁の連続する４枚のシート体を表面とし残りの６枚のシート体を裏面側に折り重ねることにより、今年１月と今年２月と今年３月と今年４月の４ヶ月暦を表示し、前記第４頁、第５頁、第６頁、第７頁の連続する４枚のシート体を表面とし残りの６枚のシート体を裏面側に折り重ねることにより、今年２月と今年３月と今年４月と今年５月の４ヶ月暦を表示し、前記第５頁、第６頁、第７頁、第８頁の連続する４枚のシート体を表面とし残りの６枚のシート体を裏面側に折り重ねることにより、今年３月と今年４月と今年５月と今年６月の４ヶ月暦を表示し、前記第６頁、第７頁、第８頁、第９頁の連続する４枚のシート体を表面とし残りの６枚のシート体を裏面側に折り重ねることにより、今年４月と今年５月と今年６月と今年７月の４ヶ月暦を表示し、前記第７頁、第８頁、第９頁、第１０頁の連続する４枚のシート体を表面とし残りの６枚のシート体を裏面側に折り重ねることにより、今年５月と今年６月と今年７月と今年８月の４ヶ月暦を表示し、前記第８頁、第９頁、第１０頁の連続する３枚のシート体を表面とし残りの７枚のシート体を裏面側に折り重ねつつ前記第１７頁が前記第１０頁のシート体の下に繋がって表示されるように折り重ねることにより、今年６月と今年７月と今年８月と今年９月の４ヶ月暦を表示し、前記第９頁、第１０頁の連続する２枚のシート体を表面とし残りの８枚のシート体を裏面側に折り重ねつつ前記第１７頁と第１８頁の連続するシート体が前記第１０頁のシート体の下に繋がって表示されるように折り重ねることにより、今年７月と今年８月と今年９月と今年１０月の４ヶ月暦を表示し、前記第１０頁のシート体を表面とし残りの９枚のシート体を裏面側に折り重ねつつ前記第１７頁と第１８頁と第１９頁の連続するシート体が前記第１０頁のシート体の下に繋がって表示されるように折り重ねることにより、今年８月と今年９月と今年１０月と今年１１月の４ヶ月暦を表示し、前記第１７頁、第１８頁、第１９頁、第２０頁の連続する４枚のシート体を表面とし残りの６枚のシート体を裏面側に折り重ねることにより、今年９月と今年１０月と今年１１月と今年１２月の４ヶ月暦を表示し、前記第１８頁、第１９頁、第２０頁の連続する３枚のシート体を表面とし残りの７枚のシート体を裏面側に折り重ねつつ前記第１１頁が第２０頁のシート体の下に繋がって表示されるように折り重ねることにより、今年１０月と今年１１月と今年１２月と来年１月の４ヶ月暦を表示することを特徴とする。
これにより、先月、今月、来月、再来月などの４ヶ月暦を、過ぎた月の暦を切り取ることなく１年分表示し、かつ一枚のシートして保存することができるカレンダーが得られる。
【０００９】
また本発明の複数月カレンダーは、請求項１記載のシート体を折り畳み自在に１０枚連接した複数月カレンダーであって、第２頁、第３頁の連続する２枚のシート体を表面とし残りの８枚のシート体を裏面側に折り重ねることにより、前年１２月と今年１月の２ヶ月暦を表示し、第３頁、第４頁の連続する２枚のシート体を表面とし残りの８枚のシート体を裏面側に折り重ねることにより、今年１月と今年２月の２ヶ月暦を表示し、第４頁、第５頁の連続する２枚のシート体を表面とし残りの８枚のシート体を裏面側に折り重ねることにより、今年２月と今年３月の２ヶ月暦を表示し、第５頁、第６頁の連続する２枚のシート体を表面とし残りの８枚のシート体を裏面側に折り重ねることにより、今年３月と今年４月の２ヶ月暦を表示し、第６頁、第７頁の連続する２枚のシート体を表面とし残りの８枚のシート体を裏面側に折り重ねることにより、今年４月と今年５月の２ヶ月暦を表示し、第７頁、第８頁の連続する２枚のシート体を表面とし残りの８枚のシート体を裏面側に折り重ねることにより、今年５月と今年６月の２ヶ月暦を表示し、第８頁、第９頁の連続する２枚のシート体を表面とし残りの８枚のシート体を裏面側に折り重ねることにより、今年６月と今年７月の２ヶ月暦を表示し、第９頁、第１０頁の連続する２枚のシート体を表面とし残りの８枚のシート体を裏面側に折り重ねることにより、今年７月と今年８月の２ヶ月暦を表示し、第１０頁のシート体を表面とし残りの９枚のシート体を裏面側に折り重ねつつ第１７頁のシート体が前記第１０頁のシート体の下に繋がって表示されるように折り重ねることにより、今年８月と今年９月の２ヶ月暦を表示し、第１７頁、第１８頁の連続する２枚のシート体を表面とし残りの８枚のシート体を裏面側に折り重ねることにより、今年９月と今年１０月の２ヶ月暦を表示し、第１８頁、第１９頁の連続する２枚のシート体を表面とし残りの８枚のシート体を裏面側に折り重ねることにより、今年１０月と今年１１月の２ヶ月暦を表示し、第１９頁、第２０頁の連続する２枚のシート体を表面とし残りの８枚のシート体を裏面側に折り重ねることにより、今年１１月と今年１２月の２ヶ月暦を表示し、第２０頁、第２０頁のシート体を表面とし残りの９枚のシート体を裏面側に折り重ねつつ、第１０頁のシート体が前記第２０頁のシート体の下に繋がって表示されるように折り重ねることにより、今年１２月と来年１月の２ヶ月暦を表示することを特徴とする。
これにより、先月、今月などの２ヶ月暦を、過ぎた月の暦を切り取ることなく１年分表示し、かつ一枚のシートして保存することができるカレンダーが得られる。
【００１０】
また本発明の複数月カレンダーは、１ヶ月分の暦の表示を含むシート体を折り畳み自在に１６枚連接し、この１６枚のシートを折り畳むことにより一方面から見て一度に複数月の暦を昇順もしくは降順に表示する複数月カレンダーであって、前記１６枚のシート体の一方面には、第２頁に前年１２月の暦、第３頁に１月の暦、第４頁に２月の暦、第５頁に３月の暦、第８頁に４月の暦、第９頁に５月の暦、第１２頁に６月の暦、第１３頁に７月の暦、そして最下段の第１６頁に８月の暦を表示させ、かつ前記１６枚のシート体の他方面には、前記第１頁の裏面の第３２頁に１２月の暦、第２９頁に１１月の暦、第２８頁に１０月の暦、第２５頁に９月の暦、最後の第１９頁に来年１月の暦を表示させるとともに、第２頁、第３頁、第４頁の連続する３枚のシート体を表面とし残りの１３枚のシート体を裏面側に折り重ねつつ、第７頁が前記第４頁のシート体の下に繋がって表示されるように折り重ねることにより、前年１２月と今年１月と今年２月の３ヶ月暦と自由表示域であるフリースペースの４面を表示し、第３頁、第４頁、第５頁、第６頁の連続する４枚のシート体を表面とし残りの１２枚のシート体を裏面側に折り重ねることにより、今年１月と今年２月と今年３月の３ヶ月暦とフリースペースの４面を表示し、第４頁、第５頁の連続する２枚のシート体を表面とし残りの１４枚のシート体を裏面側に折り重ねつつ、第８頁が前記第５頁のシート体の下に繋がって表示されるように折り重ね、かつ第１１頁が前記第８頁のシート体の下に繋がって表示されることにより、今年２月と今年３月と今年４月の３ヶ月暦とフリースペースの４面を表示し、第５頁のシート体の下の手前側に第８頁、第９頁、第１０頁の連続する３枚のシート体を繋がるように折り重ね、残りの１２枚のシート体を裏面側に折り重ねることにより、今年３月と今年４月と今年５月の３ヶ月暦とフリースペースの４面を表示し、第８頁、第９頁の連続する２枚のシート体を表面とし残りの１４枚のシート体を裏面側に折り重ねつつ、第１２頁が前記第９頁のシート体の下に繋がり、さらに第１５頁が前記第１２頁のシート体の下に繋がって表示されることにより、今年４月と今年５月と今年６月の３ヶ月暦とフリースペースの４面を表示し、第９頁のシート体の下の手前側に第１２頁、第１３頁、第１４頁の３枚のシート体を繋がるように折り重ね、残りの１２枚のシート体を裏面側に折り重ねることにより、今年５月と今年６月と今年７月の３ヶ月暦とフリースペースの４面を表示し、第１２頁、第１３頁の連続する２枚のシート体を表面とし残りの１４枚のシート体を裏面側に折り重ねつつ、第１６頁が前記第１３頁のシート体の下に繋がり、さらに第２７頁が前記第１６頁のシート体の下に繋がって表示されるように折り重ねることにより、今年６月と今年７月と今年８月の３ヶ月暦とフリースペースの４面を表示し、第１３頁のシート体の下の手前側に第１６頁のシート体を繋がるように折り重ね、残りの１２枚のシート体を裏面側に折り重ねつつ、第２５頁、第２６頁の連続する２枚のシート体が前記第１６頁のシート体の下に繋がって表示されるように折り重ねることにより、今年７月と今年８月と今年９月の３ヶ月暦とフリースペースの４面を表示し、第１６頁のシート体の下の手前側に第２５頁のシート体を繋がり、さらに第２８頁が前記第２５頁のシート体の下に繋がり、さらに第３１頁が前記第２８頁のシート体の下に繋がって表示されるように折り重ねることにより、今年８月と今年９月と今年１０月の３ヶ月暦とフリースペースの４面を表示し、第２５頁のシート体の下の手前側に第２５頁のシート体を繋がり、さらに第２８頁、第２９頁、第３０頁の連続する３枚のシート体が前記第２５頁のシート体の下に繋がって表示されるように折り重ねることにより、今年９月と今年１０月と今年１１月の３ヶ月暦とフリースペースの４面を表示し、第２８頁、第２９頁の連続する２枚のシート体を表面とし残りの１４枚のシート体を裏面側に折り重ねつつ、第３２頁が前記第２９頁のシート体の下に繋がり、さらに第１７頁が前記第３２頁のシート体の下に繋がって表示されることにより、今年１０月と今年１１月と今年１２月の３ヶ月暦とフリースペースの４面を表示し、第２９頁のシート体の下に第３２頁が繋がり、さらに第１９頁が前記第３２頁のシート体の下に繋がり、さらに第２０頁が前記第１９頁のシート体の下に繋がって表示されることにより、今年１１月と今年１２月と来年１月の３ヶ月暦とフリースペースの４面を表示することを特徴とする。
これにより、先月、今月、来月などの３ヶ月暦とフリースペースの４面を、過ぎた月の暦を切り取ることなく１年分表示し、かつ一枚のシートして保存することができるカレンダーが得られ、フリースペースについても広告や折り畳み方の説明などを表示して有効に利用することができる。
【００１１】
また本発明の複数月カレンダーは、請求項４記載のシート体を折り畳み自在に１６枚連接した複数月カレンダーであって、第２頁、第３頁、第４頁、第５頁の連続する４枚のシート体を表面とし残りの１２枚のシート体を裏面側に折り重ねることにより、前年１２月と今年１月と今年２月と今年３月の４ヶ月暦を表示し、第３頁、第４頁、第５頁の連続する３枚のシート体を表面とし残りの１３枚のシート体を裏面側に折り重ねつつ、第８頁のシート体が前記第５頁のシート体の下に繋がって表示されるように折り重ねることにより、今年１月と今年２月と今年３月と今年４月の４ヶ月暦を表示し、第４頁、第５頁の連続する２枚のシート体を表面とし残りの１４枚のシート体を折り重ねつつ、第８頁、第９頁のシート体が前記第５頁のシート体の下に繋がって表示されるように折り重ねることにより、今年２月と今年３月と今年４月と今年５月の４ヶ月暦を表示し、第５頁のシート体を表面とし残りの１５枚のシート体を折り重ねつつ、第８頁、第９頁のシート体が前記第５頁のシート体の下に繋がって表示されるように折り重ね、かつ第１２頁が前記第９頁のシート体の下に繋がって表示されるように折り重ねることにより、今年３月と今年４月と今年５月と今年６月の４ヶ月暦を表示し、第８頁、第９頁の連続する２枚のシート体を表面とし残りの１４枚のシート体を裏面側に折り重ねつつ、第１２頁、第１３頁の連続する２枚のシート体が前記第９頁のシート体の下に繋がって表示されるように折り重ねることにより、今年４月と今年５月と今年６月と今年７月の４ヶ月暦を表示し、第５頁のシート体を表面とし残りの１５枚のシート体を折り重ねつつ、第１２頁、第１３頁の連続する２枚のシート体が前記第９頁のシート体の下に繋がって表示されるように折り重ねつつ、第１６頁のシート体が前記第１３頁のシート体の下に繋がって表示されるように折り重ねることにより、今年５月と今年６月と今年７月と今年８月の４ヶ月暦を表示し、第１２頁、第１３頁の連続する２枚のシート体を表面とし残りの１４枚のシート体を折り重ねつつ第１６頁が前記第１３頁のシート体の下に繋がって表示されるように折り重ねつつ、第２５頁のシート体が前記第１６頁のシート体の下に繋がって表示されるように折り重ねることにより、今年６月と今年７月と今年８月と今年９月の４ヶ月暦を表示し、第１３頁のシート体を表面とし残りの１５枚のシート体を折り重ねつつ、第１６頁のシート体が前記第１３頁のシート体の下に繋がって表示されるように折り重ね、かつ第２５頁のシート体が前記第１６頁のシート体の下に繋がって表示されるように折り重ね、かつ第２８頁のシート体が前記第２５頁のシート体の下に繋がって表示されるように折り重ねることにより、今年７月と今年８月と今年９月と今年１０月の４ヶ月暦を表示し、第１６頁のシート体を表面とし残りの１５枚のシート体を折り重ねつつ第２５頁のシート体が前記第１６頁のシート体の下に繋がって表示されるように折り重ねつつ、第２８頁、第２９頁の連続する２枚のシート体が前記第２５頁のシート体の下に繋がって表示されるように折り重ねることにより、今年８月と今年９月と今年１０月と今年１１月の４ヶ月暦を表示し、第２５頁のシート体を表面とし残りの１５枚のシート体を折り重ねつつ、第２８頁、第２９頁の連続する２枚のシート体が前記第２５頁のシート体の下に繋がって表示されるように折り重ね、かつ第３２頁のシート体が前記第２９頁のシート体の下に繋がって表示されるように折り重ねることにより、今年９月と今年１０月と今年１１月と今年１２月の４ヶ月暦を表示し、第２８頁、第２９頁の連続する２枚のシート体を表面とし残りの１４枚のシート体を折り重ねつつ、第３２頁が前記第２９頁のシート体の下に繋がって表示されるように折り重ね、かつ第１９頁が前記第３２頁のシート体の下に繋がって表示されるように折り重ねることにより、今年１０月と今年１１月と今年１２月と来年１月の４ヶ月暦を表示し、第１１頁のシート体を表面とし残りの１５枚のシート体を折り重ねつつ、第３２頁が前記第１１頁のシート体の下に繋がって表示されるように折り重ね、かつ第１９頁が前記第３２頁のシート体の下に繋がって表示されるように折り重ねることにより、今年１１月と今年１２月と来年１月の３ヶ月暦を表示することを特徴とする。
これにより、先月、今月、来月、再来月などの４ヶ月暦を、過ぎた月の暦を切り取ることなく１年分表示し、かつ一枚のシートして保存することができるカレンダーが得られる。
【００１２】
また、本発明の複数月カレンダーは、請求項４記載のシート体を折り畳み自在に１６枚連接した複数月カレンダーであって、第２頁、第３頁、第４頁の連続する３枚のシート体を表面とし残りの１３枚のシート体を裏面側に折り重ねることにより、前年１２月と今年１月と今年２月の３ヶ月暦を表示し、第３頁、第４頁、第５頁の連続する３枚のシート体を表面とし残りの１３枚のシート体を裏面側に折り重ねることにより、今年１月と今年２月と今年３月の３ヶ月暦を表示し、第４頁、第５頁の連続する２枚のシート体を表面とし残りの１４枚のシート体を裏面側に折り重ねつつ、第８頁が前記第５頁のシート体の下に繋がって表示されるように折り重ねることにより、今年２月と今年３月と今年４月の３ヶ月暦を表示し、第５頁のシート体を表面とし残りの１５枚のシート体を折り重ねつつ、第８頁、第９頁の２枚のシート体が前記第５頁のシート体の下に繋がって表示されるように折り重ねることにより、今年３月と今年４月と今年５月の３ヶ月暦を表示し、第８頁のシート体を表面とし残りの１４枚のシート体を裏面側に折り重ねつつ、第１２頁のシート体が前記第９頁のシート体の下に繋がって表示されるように折り重ねることにより、今年４月と今年５月と今年６月の３ヶ月暦を表示し、第９頁のシート体を表面とし残りの１５枚のシート体を折り重ねつつ、第１２頁、第１３頁の連続する２枚のシート体が前記第９頁のシート体の下に繋がって表示されるように折り重ねることにより、今年５月と今年６月と今年７月の３ヶ月暦を表示し、第１２頁、第１３頁の連続する２枚のシート体を表面とし残りの１４枚のシート体を折り重ねつつ、第１６頁のシート体が前記第１３頁のシート体の下に繋がって表示されるように折り重ねることにより、今年６月と今年７月と今年８月の３ヶ月暦を表示し、第１３頁のシート体を表面とし残りの１５枚のシート体を折り重ねつつ、第１６頁のシート体が前記第１３頁のシート体の下に繋がって表示されるように折り重ね、かつ第２５頁のシート体が前記第１６頁のシート体の下に繋がって表示されるように折り重ねることにより、今年７月と今年８月と今年９月の３ヶ月暦を表示し、第１６頁のシート体を表面とし残りの１５枚のシート体を裏面側に折り重ねつつ、第２５頁のシート体が前記第１６頁のシート体の下に繋がって表示されるように折り重ね、かつ第２８頁のシート体が前記第２５頁のシート体の下に繋がって表示されるように折り重ねることにより、今年８月と今年９月と今年１０月の３ヶ月暦を表示し、第２５頁のシート体を表面とし残りの１５枚のシート体を折り重ねつつ、第２８頁、第２９頁の連続する２枚のシート体が前記第２５頁のシート体の下に繋がって表示されるように折り重ねることにより、今年９月と今年１０月と今年１１月の３ヶ月暦を表示し、第２８頁、第２９頁の連続する２枚のシート体を表面とし残りの１４枚のシート体を折り重ねつつ、第３２頁のシート体が前記第２９頁のシート体の下に繋がって表示されるように折り重ねることにより、今年１０月と今年１１月と今年１２月の３ヶ月暦を表示し、第２９頁のシート体を表面とし残りの１５枚のシート体を折り重ねつつ、第３２頁のシート体が前記第２９頁のシート体の下に繋がって表示されるように折り重ね、かつ第１９頁のシート体が前記第３２頁のシート体のシート体の下に繋がって表示されるように折り重ねることにより、今年１１月と今年１２月と来年１月の３ヶ月暦を表示することを特徴とする。
これにより、先月、今月、来月などの３ヶ月暦を、過ぎた月の暦を切り取ることなく１年分表示し、かつ一枚のシートして保存することができるカレンダーが得られる。
【図面の簡単な説明】
【００１３】
【図１】本発明の複数月カレンダーの第１の実施例を示す説明図である。
【図２】本発明の複数月カレンダーの第１の実施例の折り畳み方法を示す説明図である。
【図３】本発明の複数月カレンダーの第２の実施例の折り畳み方法を示す説明図である。
【図４】本発明の複数月カレンダーの第２の実施例の折り畳み方法を示す説明図である。
【図５】本発明の複数月カレンダーの第３の実施例の折り畳み方法を示す説明図である。
【図６】本発明の複数月カレンダーの第４の実施例を示す説明図である。
【図７】本発明の複数月カレンダーの第４の実施例の折り畳み方法を示す説明図である。
【図８】本発明の複数月カレンダーの第４の実施例の折り畳み方法を示す説明図である。
【図９】本発明の複数月カレンダーの第５の実施例の折り畳み方法を示す説明図である。
【図１０】本発明の複数月カレンダーの第５の実施例の折り畳み方法を示す説明図である。
【図１１】本発明の複数月カレンダーの第６の実施例の折り畳み方法を示す説明図である。
【発明を実施するための形態】
【００１４】
以下、添付図面を参照しながら、本発明に係る複数月カレンダーを実施するための形態を詳細に説明する。図１〜図１１は、本発明の実施の形態を例示する図であり、これらの図において、同一の符号を付した部分は同一物を表わし、基本的な構成及び動作は同様であるものとする。
【００１５】
本発明の複数月カレンダーは、（Ａ）連続する１０枚シート（表裏で全２０面）の形態と、（Ｂ）連続する１６枚シート（表裏で全３２面）の形態の２種があり、それに加えて前記（Ａ）１０枚シートは、折り畳み型により（Ａ−１）先月、今月、来月の３ヶ月表示、（Ａ−２）４ヶ月表示、（Ａ−３）２ヶ月表示の３通りから何れかを選択することができ、また（Ｂ）１６枚シートは、折り畳み型により（Ｂ−１）先月、今月、来月＋フリースペースの４面表示、（Ｂ−２）４ヶ月表示、（Ｂ−３）３ヶ月表示の３通りから何れかを選択することができる。そして、複数月カレンダーの複数月の配置は、縦方向に整列したり、横方向に整列したり、また昇順もしくは降順に表示したりすることができるものであり、以下の実施態様にあっては縦方向に昇順の暦表示とする例について説明する。
これらの６パターン、すなわち（Ａ−１）、（Ａ−２）、（Ａ−３）、（Ｂ−１）、（Ｂ−２）、（Ｂ−３）のそれぞれについて、以下に詳述する。
【００１６】
＜第１の実施例＞
（Ａ）１０枚シート
図１は、本発明の１０枚シートからなる複数月カレンダー１の表面の全体と、裏面の全体を示している。
複数月カレンダー１の表面は、上から順に、第１頁（丸数字で示す）に例えば複数月カレンダーであることを表記した「表紙」、第２頁に「前年１２月」の暦、第３頁に「１月」の暦、第４頁に「２月」の暦、第５頁に「３月」の暦、第６頁に「４月」の暦、第７頁に「５月」の暦、第８頁に「６月」の暦、第９頁に「７月」の暦、そして最下の第１０頁に「８月」の暦を表している。
そして、複数月カレンダー１の裏面は、上から順に、前記第１頁の裏面の第２０頁（丸数字で示す）に上下反転した「１２月」の暦、第１９頁に同じく上下反転した「１１月」の暦、第１８頁に上下反転した「１０月」の暦、第１７頁に上下反転した「９月」の暦を表している。そして、第１６頁、第１５頁、第１４頁、第１３頁、第１２頁に、広告や、折り畳み方の図解説明や、掲示方法や、本カレンダーの特長などを適宜に記載する自由表示域のフリースペース、最後の第１１頁に「来年１月」の暦を表している。
前記第１頁の「表紙」の表示例としては、当該複数月カレンダー１が３ヶ月暦表示と、４ヶ月暦表示と、２ヶ月暦表示の３通りに使用できることなどを表記することとする。
【００１７】
（Ａ−１）３ヶ月表示
図２は、前記複数月カレンダー１を、１月から１２月の内、今月の暦を中央に配置して３ヶ月暦表示する際の、複数月カレンダー１の折り畳み方を示している。
左上の１月から右方向に２月、３月、そして下の２段目、３段目、４段目と順に続いて右下の１２月までについて、先月、今月、来月の３ヶ月暦表示が、表示面と折り畳み方の組み合わせで表している。
折り畳み方を示す図において、白丸は複数月カレンダー１の上端を表し、黒丸は複数月カレンダーの下端を表している。この折り畳み図に記した小さい数字は、頁数（ノンブル）であり、上下反転した数字は、その面の暦が上下反転していることを表している。
【００１８】
この３ヶ月暦表示させるための複数月カレンダー１の具体的な折り畳み方としては、以下の通りである。
第２頁、第３頁、第４頁の連続する３枚のシート体を表面とし残りの７枚のシート体を裏面側に折り重ねることにより、前年１２月と今年１月と今年２月の３ヶ月暦を表示し、第３頁、第４頁、第５頁の連続する３枚のシート体を表面とし残りの７枚のシート体を裏面側に折り重ねることにより、今年１月と今年２月と今年３月の３ヶ月暦を表示し、第４頁、第５頁、第６頁の連続する３枚のシート体を表面とし残りの７枚のシート体を裏面側に折り重ねることにより、今年２月と今年３月と今年４月の３ヶ月暦を表示し、第５頁、第６頁、第７頁の連続する３枚のシート体を表面とし残りの７枚のシート体を裏面側に折り重ねることにより、今年３月と今年４月と今年５月の３ヶ月暦を表示し、第６頁、第７頁、第８頁の連続する３枚のシート体を表面とし残りの７枚のシート体を裏面側に折り重ねることにより、今年４月と今年５月と今年６月の３ヶ月暦を表示し、第７頁、第８頁、第９頁の連続する３枚のシート体を表面とし残りの７枚のシート体を裏面側に折り重ねることにより、今年５月と今年６月と今年７月の３ヶ月暦を表示し、第８頁、第９頁、第１０頁の連続する３枚のシート体を表面とし残りの７枚のシート体を裏面側に折り重ねることにより、今年６月と今年７月と今年８月の３ヶ月暦を表示し、第９頁、第１０頁の連続する２枚のシート体を表面とし残りの８枚のシート体を裏面側に折り重ねつつ第１７頁が前記第１０頁のシート体の下に繋がって表示されるように折り重ねることにより、今年７月と今年８月と今年９月の３ヶ月暦を表示し、第１０頁のシート体を表面とし残りの９枚のシート体を裏面側に折り重ねつつ第１７頁と第１８頁の連続するシート体が前記第１０頁のシート体の下に繋がって表示されるように折り重ねることにより、今年８月と今年９月と今年１０月の３ヶ月暦を表示し、第１７頁、第１８頁、第１９頁の連続する３枚のシート体を表面とし残りの７枚のシート体を裏面側に折り重ねることにより、今年９月と今年１０月と今年１１月の３ヶ月暦を表示し、第１８頁、第１９頁、第２０頁の連続する３枚のシート体を表面とし残りの７枚のシート体を裏面側に折り重ねることにより、今年１０月と今年１１月と今年１２月の３ヶ月暦を表示し、第１９頁、第２０頁の連続する２枚のシート体を表面とし残りの８枚のシート体を裏面側に折り重ねつつ第１１頁が第２０頁のシート体の下に繋がって表示されるように折り重ねることにより、今年１１月と今年１２月と来年１月の３ヶ月暦を表示するものである。
【００１９】
この折り畳み図で明らかなように、折り部が前後に積み重なることがあっても、１つの折り部の内側に別の折り部が二重に位置する重ね折りが存在せず、これにより折り畳んだカレンダーが膨らんだり撚れたりすることがなく、折り畳み方に無理がないものである。
そして、この複数月カレンダー１の掲示方法としては、各面の上下に小穴を尖設し、適宜な個所を画鋲等で押さえることにより、撓んだり膨らんだりせずに美しく整って掲示することができるものである。
【００２０】
＜第２の実施例＞
（Ａ−２）４ヶ月表示
図３及び図４は、前記複数月カレンダー１を、１月から１２月の内、今月の暦を上から２段目に配置して４ヶ月表示する際の、複数月カレンダー１の折り畳み方を示している。
この図３及び図４に示す４ヶ月表示させるための複数月カレンダー１の具体的な折り畳み方としては、以下の通りである。
第２頁、第３頁、第４頁、第５頁の連続する４枚のシート体を表面とし残りの６枚のシート体を裏面側に折り重ねることにより、前年１２月と今年１月と今年２月と今年３月の４ヶ月暦を表示し、第３頁、第４頁、第５頁、第６頁の連続する４枚のシート体を表面とし残りの６枚のシート体を裏面側に折り重ねることにより、今年１月と今年２月と今年３月と今年４月の４ヶ月暦を表示し、第４頁、第５頁、第６頁、第７頁の連続する４枚のシート体を表面とし残りの６枚のシート体を裏面側に折り重ねることにより、今年２月と今年３月と今年４月と今年５月の４ヶ月暦を表示し、第５頁、第６頁、第７頁、第８頁の連続する４枚のシート体を表面とし残りの６枚のシート体を裏面側に折り重ねることにより、今年３月と今年４月と今年５月と今年６月の４ヶ月暦を表示し、第６頁、第７頁、第８頁、第９頁の連続する４枚のシート体を表面とし残りの６枚のシート体を裏面側に折り重ねることにより、今年４月と今年５月と今年６月と今年７月の４ヶ月暦を表示し、第７頁、第８頁、第９頁、第１０頁の連続する４枚のシート体を表面とし残りの６枚のシート体を裏面側に折り重ねることにより、今年５月と今年６月と今年７月と今年８月の４ヶ月暦を表示し、第８頁、第９頁、第１０頁の連続する３枚のシート体を表面とし残りの７枚のシート体を裏面側に折り重ねつつ第１７頁が前記第１０頁のシート体の下に繋がって表示されるように折り重ねることにより、今年６月と今年７月と今年８月と今年９月の４ヶ月暦を表示し、第９頁、第１０頁の連続する２枚のシート体を表面とし残りの８枚のシート体を裏面側に折り重ねつつ第１７頁と第１８頁の連続するシート体が前記第１０頁のシート体の下に繋がって表示されるように折り重ねることにより、今年７月と今年８月と今年９月と今年１０月の４ヶ月暦を表示し、第１０頁のシート体を表面とし残りの９枚のシート体を裏面側に折り重ねつつ第１７頁と第１８頁と第１９頁の連続するシート体が前記第１０頁のシート体の下に繋がって表示されるように折り重ねることにより、今年８月と今年９月と今年１０月と今年１１月の４ヶ月暦を表示し、第１７頁、第１８頁、第１９頁、第２０頁の連続する４枚のシート体を表面とし残りの６枚のシート体を裏面側に折り重ねることにより、今年９月と今年１０月と今年１１月と今年１２月の４ヶ月暦を表示し、第１８頁、第１９頁、第２０頁の連続する３枚のシート体を表面とし残りの７枚のシート体を裏面側に折り重ねつつ第１１頁が第２０頁のシート体の下に繋がって表示されるように折り重ねることにより、今年１０月と今年１１月と今年１２月と来年１月の４ヶ月暦を表示し、第１９頁、第２０頁、第２１頁の連続する３枚のシート体を表面とし残りの７枚のシート体を裏面側に折り重ねつつ第１１頁が第２０頁のシート体の下に繋がって表示されるように折り重ねることにより、今年１１月と今年１２月と来年１月の３ヶ月暦を表示するものである。
【００２１】
この折り畳み図でも明らかなように、１つの折り部の内側に別の折り部が二重に位置する重ね折りが存在せず、これにより折り畳んだカレンダーが膨らんだり撚れたりすることがなく、折り畳み方に無理がないものである。
【００２２】
＜第３の実施例＞
（Ａ−２）２ヶ月表示
図５は、前記複数月カレンダー１を、１月から１２月の内、今月の暦を下段に配置して２ヶ月表示する際の、複数月カレンダー１の折り畳み方を示している。
この図５に示す２ヶ月表示させるための複数月カレンダー１の具体的な折り畳み方としては、以下の通りである。
第２頁、第３頁の連続する２枚のシート体を表面とし残りの８枚のシート体を裏面側に折り重ねることにより、前年１２月と今年１月の２ヶ月暦を表示し、第３頁、第４頁の連続する２枚のシート体を表面とし残りの８枚のシート体を裏面側に折り重ねることにより、今年１月と今年２月の２ヶ月暦を表示し、第４頁、第５頁の連続する２枚のシート体を表面とし残りの８枚のシート体を裏面側に折り重ねることにより、今年２月と今年３月の２ヶ月暦を表示し、第５頁、第６頁の連続する２枚のシート体を表面とし残りの８枚のシート体を裏面側に折り重ねることにより、今年３月と今年４月の２ヶ月暦を表示し、第６頁、第７頁の連続する２枚のシート体を表面とし残りの８枚のシート体を裏面側に折り重ねることにより、今年４月と今年５月の２ヶ月暦を表示し、第７頁、第８頁の連続する２枚のシート体を表面とし残りの８枚のシート体を裏面側に折り重ねることにより、今年５月と今年６月の２ヶ月暦を表示し、第８頁、第９頁の連続する２枚のシート体を表面とし残りの８枚のシート体を裏面側に折り重ねることにより、今年６月と今年７月の２ヶ月暦を表示し、第９頁、第１０頁の連続する２枚のシート体を表面とし残りの８枚のシート体を裏面側に折り重ねることにより、今年７月と今年８月の２ヶ月暦を表示し、第１０頁のシート体を表面とし残りの９枚のシート体を裏面側に折り重ねつつ第１７頁のシート体が前記第１０頁のシート体の下に繋がって表示されるように折り重ねることにより、今年８月と今年９月の２ヶ月暦を表示し、第１７頁、第１８頁の連続する２枚のシート体を表面とし残りの８枚のシート体を裏面側に折り重ねることにより、今年９月と今年１０月の２ヶ月暦を表示し、第１８頁、第１９頁の連続する２枚のシート体を表面とし残りの８枚のシート体を裏面側に折り重ねることにより、今年１０月と今年１１月の２ヶ月暦を表示し、第１９頁、第２０頁の連続する２枚のシート体を表面とし残りの８枚のシート体を裏面側に折り重ねることにより、今年１１月と今年１２月の２ヶ月暦を表示し、第２０頁、第２０頁のシート体を表面とし残りの９枚のシート体を裏面側に折り重ねつつ、第１０頁のシート体が前記第２０頁のシート体の下に繋がって表示されるように折り重ねることにより、今年１２月と来年１月の２ヶ月暦を表示するものである。
【００２３】
この折り畳み図でも明らかなように、１つの折り部の内側に別の折り部が二重に位置する重ね折りが存在せず、これにより折り畳んだカレンダーが膨らんだり撚れたりすることがなく、折り畳み方に無理がない。
【００２４】
＜第４の実施例＞
（Ｂ）１６枚シート
図６は、本発明の複数月カレンダー２の表面の全体と、裏面の全体を示している。
複数月カレンダー２の表面は、上から順に、第１頁（丸数字で示す）に例えば複数月カレンダーであることを表記した「表紙」、第２頁に「前年１２月」の暦、第３頁に「１月」の暦、第４頁に「２月」の暦、第５頁に「３月」の暦、第８頁に「４月」の暦、第９頁に「５月」の暦、第１２頁に「６月」の暦、第１３頁に「７月」の暦、そして最下段の第１６頁に「８月」の暦を表している。
そして、複数月カレンダー１の裏面は、上から順に、前記第１頁の裏面の第３２頁（丸数字で示す）に上下反転した「１２月」の暦、第２９頁に同じく上下反転した「１１月」の暦、第２８頁に上下反転した「１０月」の暦、第２５頁に上下反転した「９月」の暦、最後の第１９頁に「来年１月」の暦を表し、そして第６頁、第７頁、第１０頁、第１１頁、第１４頁、第１５頁、第１７頁、第１８頁、第２０頁、第２１頁、第２２頁、第２３頁、第２４頁、第２６頁、第２７頁、第３０頁、第３１頁は、前述同様に広告や、折り畳み方の図解説明や、掲示方法や、本カレンダーの特長などを適宜に記載する自由表示域であるフリースペースとしている。
【００２５】
（Ｂ−１）先月、今月、来月＋フリースペースの４面表示
図７及び図８は、前記複数月カレンダー２を、１月から１２月の内、今月の暦を上から２段目に配置して３ヶ月暦表示と、その下段に自由表示域であるフリースペースを表示する際の、複数月カレンダー２の折り畳み方を示している。
この図７及び図８に示す＜先月、今月、来月＋フリースペースの４面＞表示させるための複数月カレンダー２の具体的な折り畳み方としては、以下の通りである。
第２頁、第３頁、第４頁の連続する３枚のシート体を表面とし残りの１３枚のシート体を裏面側に折り重ねつつ、第７頁が前記第４頁のシート体の下に繋がって表示されるように折り重ねることにより、前年１２月と今年１月と今年２月の３ヶ月暦とフリースペースの４面を表示し、第３頁、第４頁、第５頁、第６頁の連続する４枚のシート体を表面とし残りの１２枚のシート体を裏面側に折り重ねることにより、今年１月と今年２月と今年３月の３ヶ月暦とフリースペースの４面を表示し、第４頁、第５頁の連続する２枚のシート体を表面とし残りの１４枚のシート体を裏面側に折り重ねつつ、第８頁が前記第５頁のシート体の下に繋がって表示されるように折り重ね、かつ第１１頁が前記第８頁のシート体の下に繋がって表示されることにより、今年２月と今年３月と今年４月の３ヶ月暦とフリースペースの４面を表示し、第５頁のシート体の下の手前側に第８頁、第９頁、第１０頁の連続する３枚のシート体を繋がるように折り重ね、残りの１２枚のシート体を裏面側に折り重ねることにより、今年３月と今年４月と今年５月の３ヶ月暦とフリースペースの４面を表示し、第８頁、第９頁の連続する２枚のシート体を表面とし残りの１４枚のシート体を裏面側に折り重ねつつ、第１２頁が前記第９頁のシート体の下に繋がり、さらに第１５頁が前記第１２頁のシート体の下に繋がって表示されることにより、今年４月と今年５月と今年６月の３ヶ月暦とフリースペースの４面を表示し、第９頁のシート体の下の手前側に第１２頁、第１３頁、第１４頁の３枚のシート体を繋がるように折り重ね、残りの１２枚のシート体を裏面側に折り重ねることにより、今年５月と今年６月と今年７月の３ヶ月暦とフリースペースの４面を表示し、第１２頁、第１３頁の連続する２枚のシート体を表面とし残りの１４枚のシート体を裏面側に折り重ねつつ、第１６頁が前記第１３頁のシート体の下に繋がり、さらに第２７頁が前記第１６頁のシート体の下に繋がって表示されるように折り重ねることにより、今年６月と今年７月と今年８月の３ヶ月暦とフリースペースの４面を表示し、第１３頁のシート体の下の手前側に第１６頁のシート体を繋がるように折り重ね、残りの１２枚のシート体を裏面側に折り重ねつつ、第２５頁、第２６頁の連続する２枚のシート体が前記第１６頁のシート体の下に繋がって表示されるように折り重ねることにより、今年７月と今年８月と今年９月の３ヶ月暦とフリースペースの４面を表示し、第１６頁のシート体の下の手前側に第２５頁のシート体を繋がり、さらに第２８頁が前記第２５頁のシート体の下に繋がり、さらに第３１頁が前記第２８頁のシート体の下に繋がって表示されるように折り重ねることにより、今年８月と今年９月と今年１０月の３ヶ月暦とフリースペースの４面を表示し、第２５頁のシート体の下の手前側に第２５頁のシート体を繋がり、さらに第２８頁、第２９頁、第３０頁の連続する３枚のシート体が前記第２５頁のシート体の下に繋がって表示されるように折り重ねることにより、今年９月と今年１０月と今年１１月の３ヶ月暦とフリースペースの４面を表示し、第２８頁、第２９頁の連続する２枚のシート体を表面とし残りの１４枚のシート体を裏面側に折り重ねつつ、第３２頁が前記第２９頁のシート体の下に繋がり、さらに第１７頁が前記第３２頁のシート体の下に繋がって表示されることにより、今年１０月と今年１１月と今年１２月の３ヶ月暦とフリースペースの４面を表示し、第２９頁のシート体の下に第３２頁が繋がり、さらに第１９頁が前記第３２頁のシート体の下に繋がり、さらに第２０頁が前記第１９頁のシート体の下に繋がって表示されることにより、今年１１月と今年１２月と来年１月の３ヶ月暦とフリースペースの４面を表示するものである。
この折り畳み図でも明らかなように、１つの折り部の内側に別の折り部が二重に位置する重ね折りが存在せず、これにより折り畳んだカレンダーが膨らんだり撚れたりすることがなく、折り畳み方に無理がない。
【００２６】
＜第５の実施例＞
（Ｂ−２）４ヶ月表示
図９及び図１０は、前記複数月カレンダー２を、１月から１２月の内、今月の暦を上から２段目に配置して４ヶ月暦を表示する際の、複数月カレンダー２の折り畳み方を示している。
この図９及び図１０に示す＜先月、今月、来月、再来月の４ヶ月＞表示させるための複数月カレンダー２の具体的な折り畳み方としては、以下の通りである。
【００２７】
第２頁、第３頁、第４頁、第５頁の連続する４枚のシート体を表面とし残りの１２枚のシート体を裏面側に折り重ねることにより、前年１２月と今年１月と今年２月と今年３月の４ヶ月暦を表示し、第３頁、第４頁、第５頁の連続する３枚のシート体を表面とし残りの１３枚のシート体を裏面側に折り重ねつつ、第８頁のシート体が前記第５頁のシート体の下に繋がって表示されるように折り重ねることにより、今年１月と今年２月と今年３月と今年４月の４ヶ月暦を表示し、第４頁、第５頁の連続する２枚のシート体を表面とし残りの１４枚のシート体を折り重ねつつ、第８頁、第９頁のシート体が前記第５頁のシート体の下に繋がって表示されるように折り重ねることにより、今年２月と今年３月と今年４月と今年５月の４ヶ月暦を表示し、第５頁のシート体を表面とし残りの１５枚のシート体を折り重ねつつ、第８頁、第９頁のシート体が前記第５頁のシート体の下に繋がって表示されるように折り重ね、かつ第１２頁が前記第９頁のシート体の下に繋がって表示されるように折り重ねることにより、今年３月と今年４月と今年５月と今年６月の４ヶ月暦を表示し、第８頁、第９頁の連続する２枚のシート体を表面とし残りの１４枚のシート体を裏面側に折り重ねつつ、第１２頁、第１３頁の連続する２枚のシート体が前記第９頁のシート体の下に繋がって表示されるように折り重ねることにより、今年４月と今年５月と今年６月と今年７月の４ヶ月暦を表示し、第５頁のシート体を表面とし残りの１５枚のシート体を折り重ねつつ、第１２頁、第１３頁の連続する２枚のシート体が前記第９頁のシート体の下に繋がって表示されるように折り重ねつつ、第１６頁のシート体が前記第１３頁のシート体の下に繋がって表示されるように折り重ねることにより、今年５月と今年６月と今年７月と今年８月の４ヶ月暦を表示し、第１２頁、第１３頁の連続する２枚のシート体を表面とし残りの１４枚のシート体を折り重ねつつ第１６頁が前記第１３頁のシート体の下に繋がって表示されるように折り重ねつつ、第２５頁のシート体が前記第１６頁のシート体の下に繋がって表示されるように折り重ねることにより、今年６月と今年７月と今年８月と今年９月の４ヶ月暦を表示し、第１３頁のシート体を表面とし残りの１５枚のシート体を折り重ねつつ、第１６頁のシート体が前記第１３頁のシート体の下に繋がって表示されるように折り重ね、かつ第２５頁のシート体が前記第１６頁のシート体の下に繋がって表示されるように折り重ね、かつ第２８頁のシート体が前記第２５頁のシート体の下に繋がって表示されるように折り重ねることにより、今年７月と今年８月と今年９月と今年１０月の４ヶ月暦を表示し、第１６頁のシート体を表面とし残りの１５枚のシート体を折り重ねつつ第２５頁のシート体が前記第１６頁のシート体の下に繋がって表示されるように折り重ねつつ、第２８頁、第２９頁の連続する２枚のシート体が前記第２５頁のシート体の下に繋がって表示されるように折り重ねることにより、今年８月と今年９月と今年１０月と今年１１月の４ヶ月暦を表示し、第２５頁のシート体を表面とし残りの１５枚のシート体を折り重ねつつ、第２８頁、第２９頁の連続する２枚のシート体が前記第２５頁のシート体の下に繋がって表示されるように折り重ね、かつ第３２頁のシート体が前記第２９頁のシート体の下に繋がって表示されるように折り重ねることにより、今年９月と今年１０月と今年１１月と今年１２月の４ヶ月暦を表示し、第２８頁、第２９頁の連続する２枚のシート体を表面とし残りの１４枚のシート体を折り重ねつつ、第３２頁が前記第２９頁のシート体の下に繋がって表示されるように折り重ね、かつ第１９頁が前記第３２頁のシート体の下に繋がって表示されるように折り重ねることにより、今年１０月と今年１１月と今年１２月と来年１月の４ヶ月暦を表示し、第１１頁のシート体を表面とし残りの１５枚のシート体を折り重ねつつ、第３２頁が前記第１１頁のシート体の下に繋がって表示されるように折り重ね、かつ第１９頁が前記第３２頁のシート体の下に繋がって表示されるように折り重ねることにより、今年１１月と今年１２月と来年１月の３ヶ月暦を表示するものである。
この折り畳み図でも明らかなように、１つの折り部の内側に別の折り部が二重に位置する重ね折りが存在せず、これにより折り畳んだカレンダーが膨らんだり撚れたりすることがなく、折り畳み方に無理がない。
【００２８】
＜第６の実施例＞
（Ｂ−３）３ヶ月表示
図１１は、前記複数月カレンダー２を、１月から１２月の内、今月の暦を上から２段目の中央に配置して３ヶ月暦を表示する際の、複数月カレンダー２の折り畳み方を示している。
図１１に示す＜先月、今月、来月の３ヶ月＞表示させるための複数月カレンダー２の具体的な折り畳み方としては、以下の通りである。
【００２９】
第２頁、第３頁、第４頁の連続する３枚のシート体を表面とし残りの１３枚のシート体を裏面側に折り重ねることにより、前年１２月と今年１月と今年２月の３ヶ月暦を表示し、第３頁、第４頁、第５頁の連続する３枚のシート体を表面とし残りの１３枚のシート体を裏面側に折り重ねることにより、今年１月と今年２月と今年３月の３ヶ月暦を表示し、第４頁、第５頁の連続する２枚のシート体を表面とし残りの１４枚のシート体を裏面側に折り重ねつつ、第８頁が前記第５頁のシート体の下に繋がって表示されるように折り重ねることにより、今年２月と今年３月と今年４月の３ヶ月暦を表示し、第５頁のシート体を表面とし残りの１５枚のシート体を折り重ねつつ、第８頁、第９頁の２枚のシート体が前記第５頁のシート体の下に繋がって表示されるように折り重ねることにより、今年３月と今年４月と今年５月の３ヶ月暦を表示し、第８頁のシート体を表面とし残りの１４枚のシート体を裏面側に折り重ねつつ、第１２頁のシート体が前記第９頁のシート体の下に繋がって表示されるように折り重ねることにより、今年４月と今年５月と今年６月の３ヶ月暦を表示し、第９頁のシート体を表面とし残りの１５枚のシート体を折り重ねつつ、第１２頁、第１３頁の連続する２枚のシート体が前記第９頁のシート体の下に繋がって表示されるように折り重ねることにより、今年５月と今年６月と今年７月の３ヶ月暦を表示し、第１２頁、第１３頁の連続する２枚のシート体を表面とし残りの１４枚のシート体を折り重ねつつ、第１６頁のシート体が前記第１３頁のシート体の下に繋がって表示されるように折り重ねることにより、今年６月と今年７月と今年８月の３ヶ月暦を表示し、第１３頁のシート体を表面とし残りの１５枚のシート体を折り重ねつつ、第１６頁のシート体が前記第１３頁のシート体の下に繋がって表示されるように折り重ね、かつ第２５頁のシート体が前記第１６頁のシート体の下に繋がって表示されるように折り重ねることにより、今年７月と今年８月と今年９月の３ヶ月暦を表示し、第１６頁のシート体を表面とし残りの１５枚のシート体を裏面側に折り重ねつつ、第２５頁のシート体が前記第１６頁のシート体の下に繋がって表示されるように折り重ね、かつ第２８頁のシート体が前記第２５頁のシート体の下に繋がって表示されるように折り重ねることにより、今年８月と今年９月と今年１０月の３ヶ月暦を表示し、第２５頁のシート体を表面とし残りの１５枚のシート体を折り重ねつつ、第２８頁、第２９頁の連続する２枚のシート体が前記第２５頁のシート体の下に繋がって表示されるように折り重ねることにより、今年９月と今年１０月と今年１１月の３ヶ月暦を表示し、第２８頁、第２９頁の連続する２枚のシート体を表面とし残りの１４枚のシート体を折り重ねつつ、第３２頁のシート体が前記第２９頁のシート体の下に繋がって表示されるように折り重ねることにより、今年１０月と今年１１月と今年１２月の３ヶ月暦を表示し、第２９頁のシート体を表面とし残りの１５枚のシート体を折り重ねつつ、第３２頁のシート体が前記第２９頁のシート体の下に繋がって表示されるように折り重ね、かつ第１９頁のシート体が前記第３２頁のシート体のシート体の下に繋がって表示されるように折り重ねることにより、今年１１月と今年１２月と来年１月の３ヶ月暦を表示するものである。
この折り畳み図でも明らかなように、１つの折り部の内側に別の折り部が二重に位置する重ね折りが存在せず、これにより折り畳んだカレンダーが膨らんだり撚れたりすることがなく、折り畳み方に無理がない。
【００３０】
上述した各実施例の複数月カレンダーは、各シート体の上部・下部の中央に、壁面に掲示する固定ピン等のための小さな孔部を予め設けておき、折り畳んで所望する複数月の暦表示に設定した複数月カレンダーを固定ピン等で壁面に固定して掲示するものである。
その際に、折り畳んだ複数月カレンダが一体化するように側端を挟む等の適宜な手段を用いてもよいものである。
【００３１】
以上、本発明の折り重ね地図について、具体的な実施の形態を示して説明したが、本発明はこれらに限定されるものではない。当業者であれば、本発明の要旨を逸脱しない範囲内において、縦方向に整列したり、横方向に整列したり、また昇順や降順に表示させたり、前記各実施形態における折り重ね地図の構成及び機能に様々な変更・改良を加えることが可能である。
【産業上の利用可能性】
【００３２】
本発明の複数月カレンダーは、カレンダーを製造する産業において利用することができるものである。
【符号の説明】
【００３３】
１  複数月カレンダー
２  複数月カレンダー
【図１】
2016124169.tif 000003
【図２】
2016124169.tif 000004
【図３】
2016124169.tif 000005
【図４】
2016124169.tif 000006
【図５】
2016124169.tif 000007
【図６】
2016124169.tif 000008
【図７】
2016124169.tif 000009
【図８】
2016124169.tif 000010
【図９】
2016124169.tif 000011
【図１０】
2016124169.tif 000012
【図１１】
2016124169.tif 000013